(57)【要約】【課題】  効果的なプレゼンテーションの実行を可能とする画像表示を行なう。【解決手段】  パソコン１０１の画面に画像を表示するとともに、その画像情報とこの表示画面でのスクリーン１０３に表示させるべき領域（特定領域）を指示する指示情報を液晶プロジェクタ１０２に送る。液晶プロジェクタ１０２では、この画像情報を内蔵の記憶手段に記憶し、指示情報で指示される特定領域を読み出してスクリーン１０３に表示させる。パソコン１０１側では、例えば、マースにより、この特定領域を変更させることができ、これにより、所定の画像での希望する領域を選んでスクリーン１０３に表示させることができる。他の例としては、パソコン１０１の画面に複数の画像を表示し、そのいずれかを選択してスクリーン１０３に表示させたり、液晶プロジェクタ１０２に色変換手段を設け、スクリーン１０３の種類によらずに、きれいな色で画像表示させるようにする。【選択図】      図３
2005266816.tif 000002
【特許請求の範囲】
【請求項１】
情報処理装置からの画像情報を入力情報とする表示装置において、
該情報処理装置から特定領域指示信号を受け取り、該特定領域指示信号に基づいて該画像情報の特定領域を表示することを特徴とする表示装置。
【請求項２】
情報処理装置からの画像情報を入力情報とする表示装置において、
該情報処理装置から表示凍結信号を受け取り、該表示凍結信号に基づいて表示凍結処理を行なうことを特徴とする表示装置。
【請求項３】
情報処理装置からの画像情報を入力情報とする表示装置において、
該情報処理装置から色変換情報を受け取り、該色変換情報に基づいて該画像情報に色変換処理を施して表示することを特徴とする表示装置。
【請求項４】
請求項３において、
前記色変換情報は、前記画像情報の内容に依存した情報であることを特徴とする表示装置。
【請求項５】
情報処理装置の画像情報を入力情報とする第１，第２の表示装置を有し、
該情報処理装置に該第１の表示装置の第１の表示特性情報を供給し、該第２の表示装置上に該第１の表示特性情報に基づいて第１の表示装置の表示を模擬表示することを特徴とする表示方法。
【請求項６】
情報処理装置からの画像情報を入力情報とする投写型の表示装置において、
該投写型表示装置の画像が投影される表示スクリーンのタイプに応じた色変換処理を施すことを特徴とする投写型表示装置。
【請求項７】
実時間映像信号と情報保存媒体を入力とし、該実時間映像信号をＡＤ変換するＡＤ変換手段と、
該ＡＤ変換手段の出力を入力とする記憶手段と、
該記憶手段の出力を必要に応じて信号形式変換する信号形式変換手段と、
該信号形式変換手段の出力を表示する表示手段と、
該情報保存手段の情報を読み取る情報読み取り手段と、
該情報読み取り手段の出力情報に基づき描画処理する描画処理手段
とからなる表示装置において、
該描画処理手段の描画結果を保存して表示に供するための記憶機能として、該記憶手段を用いることを特徴とする表示装置。
【発明の詳細な説明】
【技術分野】
【０００１】
本発明は、液晶プロジェクタなどの表示装置及び表示方法に係り、特に、パーソナルコンピュータの画面表示方法に関する。
【背景技術】
【０００２】
近年、「Windows（登録商標）」などのグラフィカルインタフェースの発展とともに、パーソナルコンピュータ（以下、パソコンという）が普及してきており、その画面を液晶プロジェクタなどで拡大投写したプレゼンテーションが盛んに行なわれている。
【０００３】
かかるプレゼンテーションでは、専用ソフトウェアを用いてパソコン画面の画像をそのまま液晶プロジェクタなどの表示装置で投写表示している。
【発明の開示】
【発明が解決しようとする課題】
【０００４】
ところで、上記のプレゼンテーション専用ソフトウェアを用いれば、見栄えの良いプレゼンテーションが実行できるものの、資料作成には手間がかかり、インフォーマルな打ち合わせを行なう場合など、普段使い慣れているワープロソフトや表計算ソフトのデータを利用して、手間をかけずに、簡単に表示したいところである。
【０００５】
また、発表者としては、ストーリ展開に合わせて提示する画面を臨機応変に変えたい場合があるが、聴衆に見せているパソコン画面の画像をそのまま表示していると、他の画像などを確認することができず、手元の画像内容を予め充分記憶しておくほかない。これは、不可能ではないにしても、誤った画像を提示してプレゼンテーション全体の説得力などを削いでしまう危険性がある。
【０００６】
さらに、画質もプレゼンテーションの重要なポイントになっており、内容もさることながら、きれいな画像表示が必須である。特に、洋服などの商品説明では、正確な色再現が重要視されており、表示装置が変わる毎に色が異なるようなことがあってはならない。
【０００７】
上記のような問題に対して、エプソン社製の液晶プロジェクタ（ELP−3300）では、その装置内のメモリ機能を利用して入力画像の静止機能を設けているが、静止機能を積極的に活用したプレゼンテーションのやり方は提案されていない。
【０００８】
本発明の目的は、かかる問題を解消し、所望とする画像を誤りなくかつ簡単に表示することができ、色再現性に優れた表示装置及び表示方法を提供することにある。
【課題を解決するための手段】
【０００９】
上記目的を達成するために、本発明は、情報処理装置からの制御信号に基づいて、表示装置内のメモリ機能や色変換機能と該表示処理装置からの画像信号とを連動して制御し、画面からの特定領域の切出し表示やスライドショー表示を行なう。
【００１０】
また、本発明は、画像内容に応じてきれいな表示ができるように、画像の色変換処理を施す。
【発明の効果】
【００１１】
以上説明したように、本発明によれば、情報処理装置からの制御信号に基づいて、表示装置内のメモリ機能や色変換機能を該情報処理装置からの画像信号と連動制御し、画像の特定領域の切出し表示やスライドショーのような静止画表示を画像内容に応じたきれいな画質で行なうことができ、比較的簡単な構成で説得力あるプレゼンテーションが実現できる。
【００１２】
また、本発明によれば、表示装置の表示特性に基づいた事前表示機能により、本番での画像表示状態を事前確認することができ、プレゼンテーション実行に先立つリハーサルを強力に支援することができる。
【発明を実施するための最良の形態】
【００１３】
以下、本発明の実施形態を図面により説明する。
【００１４】
図１は本発明による表示装置及び表示方法の第１の実施形態を示すブロック図であって、１は情報処理装置、２は表示装置、３はＡＤ変換手段、４は記憶手段、５はＤＡ変換手段、６は制御手段、７はマイクロコンピュータ（以下、マイコンという）、８は表示手段である。
【００１５】
この実施形態の特徴は、情報処理装置の画面に表示される画像のうちの特定部分だけを切り出して表示することにより、見せたい部分だけを聴衆に見せることができるようにした点である。
【００１６】
図１において、表示装置２はＡＤ変換手段３，記憶手段４，ＤＡ変換手段５，これらＡＤ変換手段３と記憶手段４とＤＡ変換手段５とを制御する制御手段６，情報処理装置１と制御情報を交換してこの制御手段６に制御情報を送るマイコン７及び表示手段８とから構成されている。表示手段８は、例えば、液晶ディスプレイ装置やプラズマディスプレイ装置あるいはＣＲＴ装置などの表示デバイスである。
【００１７】
情報処理装置１は、例えば、パソコンであって、映像信号と制御信号とを出力する。この制御信号は、情報処理装置１から出力される映像信号のうちの特定の領域を表示するように指示する特定領域指示信号である。
【００１８】
図３はこの表示装置２として液晶プロジェクタを用いた場合の構成を示す図であって、１０１が情報処理装置１であるパソコン、１０２が液晶プロジェクタ、１０３がスクリーンである。
【００１９】
同図において、パソコン１０１からのカラー映像信号により、液晶プロジェク
タ１０２がスクリーン１０３上にカラー画像を表示する。この場合、パソコン１
０１の画面上に表示された画像のうち、黒枠で囲まれた部分が液晶プロジェクタ
１０２によってスクリーン１０３に投写されるカラー画像である。
【００２０】
図４は図３でのパソコン１０１の画面に表示される画像例を示す図であって、パソコンの基本ソフトとしての「Windows（登録商標）」の画面を例に示すものである。
【００２１】
同図において、例えば、コントロールウィンドには、黒枠で示す領域指定ワイヤフレームの始点（左上角部）のｘ，ｙ座標と終点（右下角部）のｘ，ｙ座標とを表示し、アドレス出力の方法として、連続出力か単発出力かを示す情報を表示している。連続出力は、そのボタンを押下すると（パソコンでは、マウス操作などでクリック）、始点及び終点のアドレスが連続的に出力され、また、単発出力のボタンを押下すると、始点及び終点のアドレスが押したときだけ出力されものである。このようにして、パソコン１０１の画面のうち、領域指定ワイヤフレームのアドレスが液晶プロジェクタ１０２に送られる。
【００２２】
次に、液晶プロジェクタ内での処理動作を図１により説明する。情報処理装置１からの映像出力がＡＤ変換手段３に供給され、ディジタルの映像データとされた後、記憶手段４に書き込まれる。なお、この記憶手段４は、例えば、フレームメモリであってもよい。記憶手段４に書き込まれた映像データは制御手段６の制御のもとに読み出され、ＤＡ変換手段５でアナログの映像信号に変換された後、表示手段８に供給されて画像表示が行なわれる。
【００２３】
記憶手段４の出力データは、表示手段８の仕様に合わせて多相出力になる場合もあれば、ＤＡ変換手段５を省き、ディジタル映像データとして表示手段８を駆動するようにしてもよく、様々の方法がある。また、ＡＤ変換手段３，記憶手段４及びＤＡ変換手段５は、映像信号がＲ，Ｇ，Ｂの３原色信号である場合には、夫々に対応して３系統設けられることはいうまでもない。
【００２４】
領域指定ワイヤフレームの始点アドレスと終点アドレスは、マイコン７で受け取られた後、制御手段６を介して、例えば、記憶手段４の読出し範囲を上記の始点と終点で決まる範囲とする。このようにして、図３に示すように、パソコン１０１の画面の領域指定ワイヤフレームで囲まれた特定領域の画像だけがスクリーン１０３に投写されて表示されることになる。
【００２５】
なお、上記の連続出力を指定し、指定領域ワイヤフレームをマウスで移動させると、実時間でスクリーン１０３に投写表示される画像領域が変化することはいうまでもない。これにより、パソコン１０１の画面中の見せたい領域を、思いのままに、スクリーン１０３で表示することができる。
【００２６】
また、図１において、もともと表示装置２に記憶手段４のある場合、制御手段６の制御方法をこれに合わせて変えるだけでよいので、追加部品がほとんどいらず、低コストで実現できる。
【００２７】
図２は図１での特定領域指示信号の転送データのフォーマットの一具体例を示す図である。
【００２８】
同図において、特定領域指示信号は指定領域表示命令と始点，終点アドレスとから構成されている。なお、転送するデータは、指定領域ワイヤフレームの始点，終点のアドレスだけでなく、始点アドレスと指定領域ワイヤフレームの幅などを示すデータであってもよいことは勿論である。また、情報処理装置１と表示装置２との間の制御信号の伝送方法としては、例えば、ＶＥＳＡで規格化されているＤＤＣ（Display Data Chanel）やＲＳ−２３２Ｃなどを使用してもよいし、あるいはその他のシリアル通信あるいはパラレル通信などの方法を使用することもできる。
【００２９】
図５は本発明による表示装置及び表示方法の第２の実施形態を示す図であり、２０１はパソコン、２０２は表示装置、２０３はスクリーンである。
【００３０】
この実施形態の特徴は、オペレータが、表示しようとする複数の画像を一覧表示して全体を把握しつつ、聴取には、そのうちの１つの画像だけを選択して見せるようにすることにある。全体の基本構成は図１に示したものと同様であり、図５では、記憶手段４（図１）のデータ保持機能を活用して、静止画表示を行なう
ものである。
【００３１】
まず、図５（ａ）において、パソコン２０１の画面に複数のインデックス画像（表示したい画像を小さくしたもの）を一覧表示する。これらインデックス画像のうち、所望する画像をマウスでクリックすると、図５（ｂ）に示すように、パソコン２０１の画面いっぱいにその画像が拡大表示される。勿論、この画像のデータが表示装置２０２にも供給され、記憶手段４で書き込まれて読み出され、スクリーン２０３に投写表示される。ここで、パソコン２０１から表示装置２０２にフレーズ命令を与えると、その瞬間、記憶手段４でのデータ更新が禁止され、そのとき記憶されている画像データがそのまま残り、その画像がスクリーン２０３に表示されている。そして、図５（ｃ）に示すように、パソコン２０１の画面はもとのインデックス画像を表示する状態に戻る。表示装置２０２は、先のフリーズ命令により、記憶手段４に図５（ｂ）に示した画像のデータがそのまま残っており、スクリーン２０３上にこの画像がそのまま表示され続ける。即ち、所望の画像だけがスクリーン２０３上に表示されることになる。
【００３２】
これにより、聴衆に所望の画面だけを見せて、発表者は一覧画面を見ることができるので、聴衆の反応に応じて話しの展開を臨機応変に変えることができ、説得力あるプレゼンテーションが円滑に実現できる。
【００３３】
なお、パソコン２０１には、予め、上記動作のためのソフトウェアが必要であり、また、画像データを登録しておく必要があることはいうまでもない。
【００３４】
図６は図５におけるパソコン２０１と表示装置２０２の処理動作を示すフローチャートであって、左側がパソコン２０１の処理動作を、右側が表示装置２０２の処理動作を夫々示している。
【００３５】
同図において、まず、パソコン２０１は、画面にインデックス画像を表示して複数の画像を一覧表示する（ステップ１００１）。そして、かかる一覧画面のうちの所望画像をマウスのクリック操作で選択すると（ステップ１００２）、この選択された画像がパソコン２０１の画面全体に表示され（ステップ１００３）、また、記憶手段４で画像データを記憶保持するためのフリーズ命令を表示装置２０２に送る（ステップ１００４）。
【００３６】
一方、表示装置２０２では、パソコン２０１からこのフリーズ命令を受けると（ステップ２００１）、これがフリーズ命令であるかどうかを確認し（ステップ２００２）、フリーズ命令であれば、フリーズ命令を一旦解除し（ステップ２００３）、前回記憶手段４に記憶した画像情報を新しい画像情報、即ち、現在選択して表示しようとする画像情報に変更する。この変更に要する時間、例えば、１垂直周期以上の時間待機し（ステップ２００４）、しかる後、フリーズを実行する（ステップ２００５）。そして、フリーズが完了すると、その完了の応答情報をパソコン２０１に送る（ステップ２００６）。
【００３７】
これにより、パソコン２０１側では、上記のフリーズ完了応答を取り込み（ステップ１００５）、これでフリーズ完了を確認した後（ステップ１００６）、再びインデックス画像表示を行ない（ステップ１００７）、画面で複数画像の一覧表示をに行なう。以上のフローチャートを繰り返す。
【００３８】
ここで、ステップ１００３〜１００７の処理は一瞬であり、発表者には、一瞬画面の切替わりはわかるものの、聴衆は見えることがなく、プレゼンテーション実行上何の影響もない。
【００３９】
このようにして、オペレータは、表示する複数の画像を一覧表示して全体を把握しつつ、聴取には、その１つの画像だけを見せることができるので、発表者の意図に沿った説得力あるプレゼンテーションが実行できる。
【００４０】
なお、図７はパソコン２０１の画面での一覧画像表示の一具体例を示す図であって、No１，No２，……の枠内にインデックス画像が表示される。
【００４１】
また、以上では、単純な切替えを説明したが、画像と画像との切替え間にフェードやディゾルブといった切替え効果用の画像を連続的に挿入することにより、いわゆる切替えエフェクトを実現することも勿論できる。
【００４２】
図８は本発明による表示装置及び表示方法の第３の実施形態を示すブロック図であって、１０は色変換手段であり、図１に対応する部分には同一符号を付けて重複する説明は省略する。
【００４３】
同図において、この実施形態の特徴は、記憶手段４とＤＡ変換手段５との間に色変換手段１０を設け、この色変換手段１０により、画像内容に合わせて最適な色調整を行なって、聴取に良い印象の映像を提供することができるようにしたものである。
【００４４】
なお、ＡＤ変換手段３及び記憶手段４，ＤＡ変換手段５はＲ，Ｇ，Ｂの原色信号毎に設けられており、色変換手段１０もＲ，Ｇ，Ｂの各原色信号毎に変換処理し、色相や彩度，明度が所望の値になるようにする。また、色変換手段１０はＬＵＴ（ルックアップテーブル）機能を有しており、表示手段８のガンマ特性を補正してリニアな階調特性を実現する。なお、色変換手段１０は、記憶手段４の前段に設けてもよいことは勿論である。
【００４５】
色変換手段１０での表示画像に対する変換主旨の一具体例を図９に示し、その変換特性を図１０に示す。図１０は、特に、階調特性についての例を示すものである。
【００４６】
図９及び図１０において、表示画像が文字やグラフィック主体である場合には、画像信号自体が最大値か最小値といった飽和レベルにある信号が多いため、飽和表示を重視して、ＬＵＴ入出力特性を図１０に示す特性ａのようにし、はっきりとした映像表示が行なえるようにする。一方、表示画像が自然画主体であるときには、中間調レベルにある信号が多いため、階調表示を重視して、ＬＵＴ入出力特性を図１０に示す特性ｂのようにし、きれいな自然画表示が行なえるようにする。また、文字，グラフィックと自然画が入り交じった画像に対しては、上記２つの場合の平均的な表示ができるように、ＬＵＴ入出力特性を図１０に示す特性ｃとする。
【００４７】
また、自然画でも、特に、人の肌が多いときなどでは、色相や彩度などを変えてきれいな肌色表現が行なえるようにする。
【００４８】
上記の設定値は、例えば、図１１に示すようにすればよい。図１１は図７における画像 No.１をクローズアップしたものである。例えば、図１１に示す画像が自然画とすると、インデックス画像の上にＬＵＴ設定用のコントロールウィンドウを設けて、その中に“文字・グラフィック”，“自然画”及び“文字・グラフィック＋自然画”という３個の選択肢を設定し、表示する画像内容に応じてユーザがいずれかを設定できるようにしておく。図１１は、自然画を選択した状態を示す。
【００４９】
このようにして、自然画を選んでおき、例えば、先に図５で示した第２の実施形態と同様にして、全面表示する際、表示装置２に対してフリーズ命令とともに色変換用のデータを送ればよい。勿論、色変換用のデータが多ければ、予め色変換手段１０などにそのデータを登録しておき、情報処理装置１から送るのは、自然画用の色変換実行命令だけとしてもよい。
【００５０】
また、この第３の実施形態は、図３，図４で説明した第１の実施形態の特定領域表示でも同様にして実現できる。
【００５１】
以上のようにして、色変換手段１０により、画像内容に合わせて最適な色調整を行ない、聴取に良い印象の映像を提供することができる。
【００５２】
図１２は本発明による表示装置及び表示方法の第４の実施形態を示すブロック図であって、１１はモニタ、１２はＲＯＭ、３０１はパソコンであり、図８に対応する部分には同一符号を付けて重複する説明を省略する。
【００５３】
同図において、この実施形態の特徴は、表示装置２で表示する画像表示状態を事前確認できるようにしたことにある。
【００５４】
この第４の実施形態の構成は、図８に示した第３の実施形態と基本的には同じであるが、表示装置２の表示特性を内蔵したＲＯＭ１２を備えていることが異なる。このＲＯＭ１２には、表示手段８の階調特性や色再現範囲などのデータが格納されている。このデータをパソコン３０１に送っておき、モニタ１１で事前表示する際に、このデータの値を反映した表示を行なうようにする。勿論、モニタ１１の表示特性も加味したデータ変換演算をパソコン３０１で行なう。
【００５５】
この事前表示の際のモニタ１１上の表示画像の一具体例を図１３に示す。これは図１１に示したものとほぼ同じであるが、「カスタム」の項目が設けられている点が異なり、この項目を選択すると、例えば、図１４に示すような色相，彩度及び明度の調整用バーが表示されるようにしている。かかる調整用バーの値、即ち、レベル表示をマウスのクリック操作で変更し、その変更した値によって事前に表示された画像データを変換し、再表示する。これにより、表示装置２で表示される画像の状態を事前に確認することができ、さらに、ユーザが所望の状態に調整することができる。
【００５６】
また、図１５では、コントロールウィンドウに、ＬＵＴ設定のほかに、スクリーン設定も含ませている。液晶プロジェクタなどの投写型の表示装置の場合、スクリーンが、専用品以外に、ＯＨＰスクリーンやホワイトボードあるいは紙などユーザの都合でさまざまな場合がある。投写型の表示装置では、スクリーンのタイプによって色再現性が異なるため、このような機能が有効である。
【００５７】
以上のようにして、画像表示状態を事前確認することができ、当初想定していた色と本番で表示した色とのずれをなくすことができ、色のずれを修正しては本番用のスクリーンで確認するといった繰り返し作業を大幅に簡略化して、プレゼンテーション実行に先立つリハーサルを強力に支援できる。
【００５８】
図１６は本発明による表示装置及び表示方法の第５の実施形態を示すブロック図であって、２１はデータ読取手段、２２は描画処理手段、２３は情報保存媒体、２４は切換器であり、前出図面に対応する部分には同一符号を付けている。
【００５９】
同図において、この実施形態は、表示装置２にデータ読取手段２１及び描画処理手段２２を設け、情報保存媒体２３を接続することにより、この情報保存媒体２３からの画像情報も表示することができるようにしたものである。従って、情報処理装置１がなくても、情報保存媒体２３により画像表示ができるため、情報処理装置１の搬送のための労力が不要である。
【００６０】
特に、この第５の実施形態の特徴は、描画処理手段２２用の記憶手段として、記憶手段４を用いることにあり、これをＡＤ変換手段３の出力と共用する。これにより、低コスト化が実現できる。
【００６１】
従来では、図１７に示すように、描画処理手段２２には、専用の記憶手段４’を設け、これから読み出される画像情報を専用のＤＡ変換手段２６でアナログ映像信号に変換した後、切換器２５で切り換えて記憶手段４に入力しており、表示手段８に表示するのに必要な容量を備えた記憶手段が２系統必要であった。
【００６２】
これに対し、この第５の実施形態では、記憶手段４を情報処理装置１からの映像信号と情報保存媒体からの映像信号とに共用するものであり、記憶手段を低減できる分だけでも、コストダウンができるメリットがある。
【００６３】
次に、この第５の実施形態の動作について説明する。
【００６４】
まず、画像情報などのデータを記憶保存した情報保存媒体２３をデータ読取手段２１に挿入する。このとき、切換器２４が自動的に描画処理手段２２側に切り換わるようにするとよい。挿入された情報保存媒体２３のデータを、例えば、マイコン７の指令に基づいて読み取り、その読み取ったデータを描画処理手段２２及び切換器２４を介して記憶手段４に書き込む。記憶手段４の書込み制御は制御手段６によって行なわれる。制御手段６は、描画処理手段２２からのタイミング信号などにより、動作する。
【図面の簡単な説明】
【００６５】
【図１】本発明による表示装置及び表示方法の第１の実施形態を示すブロック図である。
【図２】図１に示す第１の実施形態での制御情報のデータフォーマットの一具体例を示す図である。
【図３】表示装置として液晶プロジェクタを用いた本発明の第１の実施形態を示す構成図である。
【図４】図３でのパソコン画面に表示される画像例を示す図である。
【図５】本発明による表示装置及び表示方法の第２の実施形態を示す図である。
【図６】図５におけるパソコンと表示装置の動作を示すフローチャートである。
【図７】図５におけるパソコン画面での表示の一具体例を示す図である。
【図８】本発明による表示装置及び表示方法の第３の実施形態を示すブロック図である。
【図９】図８に示した第３の実施形態での表示画像の種類毎のデータ変換の主旨を示す図である。
【図１０】図９に示した表示画像の種類に対する変換特性を示す特性図である。
【図１１】図８における情報処理装置での表示画像の一具体例を示す図である。
【図１２】本発明による表示装置及び表示方法の第４の実施形態を示すブロック図である。
【図１３】図８におけるモニタで表示されるコントロールウインドウ内での表示内容の一具体例を示す図である。
【図１４】図８におけるモニタで表示される色情報の一具体例を示す図である。
【図１５】図８におけるモニタで表示されるコントロールウインドウ内での表示内容の他の具体例を示す図である。
【図１６】本発明による表示装置及び表示方法の第５の実施形態を示すブロック図である。
【図１７】従来の表示装置及び表示方法の一例を示すブロック図である。
【符号の説明】
【００６６】
１…情報処理装置、２…表示装置、３…ＡＤ変換手段、４…記憶手段、５…ＤＡ変換手段、６…記憶手段、７…マイコン、８…表示手段、１０…色変換手段、１１…モニタ、１２…ＲＯＭ、２１…データ読取手段、２２…描画処理手段、２３…情報保存媒体、１０１，２０１，３０１…パソコン、１０２，２０２…液晶プロジェクタ、１０３，２０３…スクリーン
【図１】
2005266816.tif 000003
【図２】
2005266816.tif 000004
【図３】
2005266816.tif 000005
【図４】
2005266816.tif 000006
【図５】
2005266816.tif 000007
【図６】
2005266816.tif 000008
【図７】
2005266816.tif 000009
【図８】
2005266816.tif 000010
【図９】
2005266816.tif 000011
【図１０】
2005266816.tif 000012
【図１１】
2005266816.tif 000013
【図１２】
2005266816.tif 000014
【図１３】
2005266816.tif 000015
【図１４】
2005266816.tif 000016
【図１５】
2005266816.tif 000017
【図１６】
2005266816.tif 000018
【図１７】
2005266816.tif 000019
【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
外部装置から出力された映像信号が入力され、該映像信号に基づき映像を形成する表示手段を備え、該表示手段の映像を投写対象物に拡大投写するプロジェクタにおいて、
前記入力された映像信号に対し色調整処理を行って前記表示手段へ供給するための色調整手段と、
前記投写対象物に関する情報を取り込むための手段と、
前記プロジェクタの階調特性、色再現範囲に関するデータを記憶するメモリと、
前記メモリに記憶された前記データを前記外部装置へ送信する送信手段と、を備え、
前記色調整手段は、前記取り込まれた投写対象物に関する情報に応じて前記色調整処理を行うようにしたことを特徴とするプロジェクタ。
【請求項２】
前記投写対象物が、スクリーン、ホワイトボード、紙であることを特徴とする請求項１に記載のプロジェクタ。
【請求項３】
外部装置から出力された映像信号が入力され、該映像信号に基づき映像を形成する表示手段を備え、該表示手段の映像を投写対象物に拡大投写するプロジェクタにおいて、
前記プロジェクタの階調特性、色再現範囲に関するデータを記憶するメモリと、
前記メモリに記憶された前記データを前記外部装置へ送信する送信手段と、
前記入力された映像信号に対し色調整処理を行って前記表示手段へ供給するための色調整手段と、
前記投写対象物に関する情報が入力され、該入力された投写対象物に関する情報に基づいて前記色調整手段を制御する制御回路と、を備えることを特徴とするプロジェクタ。
【手続補正３】
【補正対象書類名】明細書
【補正対象項目名】０００１
【補正方法】変更
【補正の内容】
【０００１】
本発明は、液晶プロジェクタなどの、表示手段に形成された画像を例えばスクリーン上へ拡大投写するプロジェクタに関する。
【手続補正４】
【補正対象書類名】明細書
【補正対象項目名】０００８
【補正方法】変更
【補正の内容】
【０００８】
本発明の目的は、色再現性に優れたプロジェクタを提供することにある。
【手続補正５】
【補正対象書類名】明細書
【補正対象項目名】０００９
【補正方法】変更
【補正の内容】
【０００９】
上記目的を達成するために、本発明は、外部装置から出力された映像信号が入力され、該映像信号に基づき映像を形成する表示手段を備え、該表示手段の映像を投写対象物に拡大投写するプロジェクタにおいて、前記入力された映像信号に対し色調整処理を行って前記表示手段へ供給するための色調整手段と、前記投写対象物に関する情報を取り込むための手段と、前記プロジェクタの階調特性、色再現範囲に関するデータを記憶するメモリと、前記メモリに記憶された前記データを前記外部装置へ送信する送信手段と、を備え、前記色調整手段は、前記取り込まれた投写対象物に関する情報に応じて前記色調整処理を行うようにしたことを特徴とする
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明によれば、スクリーンなどの投写対象物、及びプロジェクタの階調特性や色再現範囲に応じた適切な色で投写対象物上に画像を投写して表示することが可能となる。
【手続補正８】
【補正対象書類名】明細書
【補正対象項目名】００１２
【補正方法】削除
【補正の内容】